(57)【要約】【課題】清掃中に階下・隣室に音が響きにくい掃除機ヘッドを実現する。【解決手段】掃除機ヘッド１００は、ヘッド本体部１０と接続パイプ２０を有する。ヘッド本体部１０は４個の車輪１０Ｗを有する。各車輪１０Ｗの車輪本体部２は、車輪の回旋方向に沿って１周に亘り配設された弾性を呈するスポンジタイヤ１を有する。スポンジタイヤ１は、例えばＥＶＡ樹脂より成る。車輪本体部２は、同部２の中央部の開孔を貫く車輪の回転軸としての車軸５を有する。更に、車輪本体部２の車軸５の両端部は、車輪本体部２を上下方向に移動可能とするクッション構造部４に固設されている。又、ヘッド本体部１０の先端側、サイド側及び後端の両側一部の各部分の周縁部には、中空の内部空間を有する弾性体のバンパー３が配設されている。バンパー３は、例えばＴＰＥよりなる。【選択図】図２
0003200796.tif 000002
【実用新案登録請求の範囲】
【請求項１】
少なくとも２個の車輪を備えており、
前記少なくとも２個の車輪の各々は、
当該車輪の回旋方向に沿って１周に亘り配設された弾性を呈するスポンジタイヤを有する車輪本体部
を備えることを特徴とする、掃除機ヘッド。
【請求項２】
請求項１に記載の掃除機ヘッドであって、
前記少なくとも２個の車輪の各々は、
前記車輪本体部を上下方向に移動可能とするクッション構造部
を更に備えることを特徴とする、掃除機ヘッド。
【請求項３】
請求項２に記載の掃除機ヘッドであって、
中空の内部空間を有する弾性体のバンパーを
更に備えることを特徴とする、掃除機ヘッド。
【考案の詳細な説明】
【技術分野】
【０００１】
この考案は、掃除機ヘッドの構造に関する。
【背景技術】
【０００２】
電気掃除機（以下「掃除機」という。）のホースに接続される掃除機ヘッドには、キャスター付きのものもあれば、その様なキャスターが無いものもあり、掃除機ヘッドの構成は千差万別である。
【先行技術文献】
【特許文献】
【０００３】
【特許文献１】特開２００２−２７２６５８号公報
【考案の概要】
【考案が解決しようとする課題】
【０００４】
しかしながら、従来の掃除機を用いた部屋の掃除に於いては、フローリングの継ぎ目でのキャスター音、掃除機ヘッドが壁・床・家具等の物にぶつかって生じる音が、周囲に響き渡って、許容し難い騒音となっている。特に、集合住宅に於いては、その様な掃除機ヘッドの騒音が階下の部屋にまで伝わって響き渡る蓋然性が大であり、清掃者にとって、当該騒音が気になる結果、安心して部屋の掃除がしにくいという状況がある。
【０００５】
この考案は斯かる課題認識を踏まえて成されたものであって、その主目的は、車輪付きの掃除機ヘッドを用いた部屋の清掃中に階下の部屋或いは隣室等の別部屋に音が騒音として響きにくい掃除機ヘッドを提供することにある。
【課題を解決するための手段】
【０００６】
本考案の主題に係る掃除機ヘッドは、少なくとも２個の車輪を備えており、前記少なくとも２個の車輪の各々は、当該車輪の回旋方向に沿って１周に亘り配設された弾性を呈するスポンジタイヤを有する車輪本体部を備えることを特徴とする。
【０００７】
又、本考案の主題に係る掃除機ヘッドに於いては、前記少なくとも２個の車輪の各々は、前記車輪本体部を上下方向に移動可能とするクッション構造部を更に備えることを特徴とする。
【考案の効果】
【０００８】
本考案の主題に係る掃除機ヘッドによれば、掃除機ヘッドを掃除機に接続して部屋を清掃している場合に於いて、１）掃除機ヘッドの各車輪が部屋のフローリングの段（床材の継ぎ目）を通り過ぎるときに当該フローリングの段の角に接触しても、各車輪に配設されている弾性のスポンジタイヤが当該段の角に柔らかに接触して当該接触時の衝撃音を吸収し得るために、衝撃音が部屋内及び階下に響き渡りにくくなる。
【０００９】
しかも、２）掃除機ヘッドを部屋の床・畳・絨毯の面上に置いて掃除機ヘッドで清掃を開始する際に、当該掃除機ヘッドの接地時に床等からの押圧を受けてクッション構造部が各車輪の車輪本体部を上方向に移動させるので、掃除機ヘッドの床等への接地時の車輪が受ける衝撃が格段に緩和されて、衝撃音が格段に減じて部屋内に響き渡りにくくなる。
【００１０】
この様に、本掃除機ヘッドによれば、部屋の清掃時に生じる、Ａ）床等への接地時の衝撃音及びＢ）フローリングの段差で生じ得る音が格段に緩和される結果、それらの音が隣室等の別部屋或いは建物の階下の部屋にまで響きわたりにくくなり、掃除機ヘッドより生じ得る騒音が気にならなくなるという効果が得られる。
【００１１】
以下、本考案の様々な具体化を、添付図面を基に、その効果・利点と共に、詳述する。
【図面の簡単な説明】
【００１２】
【図１】本考案の実施の形態１に係る掃除機ヘッドの表側の構成を模式的に示す斜視図である。
【図２】本考案の実施の形態１に係る掃除機ヘッドの裏側の構成を模式的に示す平面図である。
【図３】本考案の実施の形態１に係る掃除機ヘッドの作用・利点を模式的に示す側面図である。
【考案を実施するための形態】
【００１３】
（実施の形態１）
本実施の形態に係る掃除機ヘッドは、大要、次の特徴点を有する。
【００１４】
１）車輪のクッション構造により車輪が上下に自在に動いて、掃除機ヘッドの床面等への接地時の衝撃（音）を和らげる。
【００１５】
２）車輪の大径スポンジタイヤが、車輪がフローリング等の床材の継ぎ目の段差に衝突する際の衝撃（音）を和らげる。
【００１６】
３）掃除機ヘッドの本体部の周縁部に取り付けられたソフトバンパーが、掃除機ヘッドが部屋内の壁・床・家具等の物に衝突する際の衝撃（音）を和らげる。
【００１７】
その結果、本実施の形態に係る掃除機ヘッドを掃除機に繋いで部屋の掃除を行う際に、隣室等の別部屋又はマンション等の建物の階下の部屋に上記の衝撃音が響き渡りにくくなり、清掃者は、安心して部屋を清掃することが出来る。
【００１８】
この様な、生活音の中でも許容されにくい掃除機より生じる音を緩和し得る本実施の形態に係る掃除機ヘッドの構造の詳細を、図面を参照しつつ、以下に詳述する。
【００１９】
図１は、本実施の形態に係る掃除機ヘッド１００の表面側の構成を模式的に示す斜視図である。又、図２は、図１の掃除機ヘッド１００の裏面側の構成を模式的に示す平面図である。更に、図３は、図１の矢印ＡＲ１の方向から掃除機ヘッド１００を眺めた際の掃除機ヘッド１００の構成を模式的に示す側面図である。
【００２０】
掃除機ヘッド１００は、大要、ヘッド本体部１０及び接続パイプ２０を有する。
【００２１】
その内、接続パイプ２０は、掃除機（図示せず。）のホースの先端部に接続される部分であり、貫通した中空の内部空間を有する。接続パイプ２０は、例えば、ポリプロピレンの様な樹脂より成る。この接続パイプ２０は、一定の角度範囲内で上下に自在に回旋可能な状態で、ヘッド本体部１０に取り付けられている。
【００２２】
他方、ヘッド本体部１０は、掃除機ヘッド１００の特徴的な構造を有する部分であって、掃除機ヘッド１００の中核部分を成す。ヘッド本体部１０は、例えば、ＡＢＳ樹脂の様な樹脂より成る。
【００２３】
ヘッド本体部１０の先端側の周縁部１０ＦＰ、両サイド側の周縁部１０ＳＰ、及び、後端側の周縁部の両端部１０ＲＰには、当該周縁部より突出したＬ字型のポリプロピレンの止め具（図示せず。）を介して、ゴムの様な弾性を呈し且つ柔らかい材質より成るバンパー３が、取り付けられている。しかも、バンパー３は、全体的に亘って、中空の内部空間を有する。バンパー３は、例えば、常温ではゴム弾性体を成すＴＰＥ（サーモプラスチックエラストマー）よりなる。この様な弾性体のバンパー３がヘッド本体部１０の主要な周縁部１０ＲＰ，１０ＳＰ，１０ＦＰに配設されているので、掃除機ヘッド１００を用いた部屋の清掃時に、ヘッド本体部１０が部屋内の壁・床・家具等の物に当たっても、その際に生じる音は弾性体のバンパー３によって吸収され易くなるため、ヘッド本体部１０の壁等のぶつかりによる騒音のレベルが格段に緩和されて騒音は小さくなる。そのため、上記の騒音が建物の階下の部屋・隣室等の別室に伝わりにくくなり、清掃者は、ヘッド本体部１０の壁等のぶつかりによる騒音を気にせずに、安心して部屋の清掃を行うことが出来る。
【００２４】
又、ヘッド本体部１０の各部１０Ｐ１，１０Ｐ２，１０Ｐ３，１０Ｐ４の裏面側には、主たる特徴的部分である車輪１０Ｗが設けられている。そこで、ヘッド本体部１０の裏面側の構成を、図２及び図３を参照しつつ、詳細に記載することとする。
【００２５】
ヘッド本体部１０の裏面の中央部には、開孔である吸入口６が形成されており、吸入口６より接続パイプ２０の一端部までに亘る内部空間１０ＩＳは、中空の空間を成す。その吸入口６の両側の端部寄り位置及び左下方位置並びに右下方位置の４つの位置には、所定の深さを有し且つ前方・後方に延在する溝部ないしは開孔部７が形成されており、この溝部７内に、上記の車輪１０Ｗが、その一部が突出する様に、配設されている。この４個の車輪１０Ｗは共に同一の構成を備えており、各車輪１０Ｗの構成は次の通りである。
【００２６】
各車輪１０Ｗは、車輪本体部２、車軸（シャフト）５、スポンジタイヤ１、及び、クッション構造部４より成る。
【００２７】
この内、車輪１０Ｗの本体部を成す車輪本体部２は、凹部を成す円柱状の中央部２Ｃと、中央部２Ｃの両端部にあって中央部２Ｃより突出した円盤状の端部２Ｅとを有する。そして、車輪本体部２には、中央部２Ｃ及び両端部２Ｅの中心軸に沿って各部２Ｅ，２Ｃ，２Ｅを貫く貫通孔（図示せず。）が形成されている。この貫通孔内を、車輪１０Ｗの回転軸を成す車軸５が貫いており、車軸５の両端部はクッション構造部４の側面部に取り付けられている。従って、車輪本体部２は、車軸５を回転軸として、車軸５の周りを、遊びを以って、左右方向ないしは前方・後方の方向に回旋する状態にある。ここで、車輪本体部２は、例えば、ＰＯＭ（ポリアセタール）の様な樹脂より成る。又、車軸５は、例えば、スチールより成る。
【００２８】
そして、特筆すべき点は、車輪本体部２の凹状の中央部２Ｃの面上には、端部２Ｅよりも突出して床面等に接地し得る態様で、車輪本体部２の回旋方向に沿って１周に亘り、弾性を呈するスポンジタイヤ１が固設されている。この弾性体のスポンジ状のスポンジタイヤ１は、例えばＥＶＡ樹脂の様な、ゴム弾性及び柔軟性を有する材質より成る。尚、図２では、左下方位置及び右下方位置のスポンジタイヤ１が、図３では、両方のスポンジタイヤ１が、図示の便宜上、ハッチング表示されている。この様な弾性体のスポンジタイヤ１を車輪本体部２が有するため、掃除機ヘッド１００を用いた部屋の清掃時に、ヘッド本体部１０の各車輪１０Ｗが部屋内のフローリングの様な床材の継ぎ目の段差（段）に当たった場合に於いても、当該段差の角部との接触で生じる衝撃がスポンジタイヤ１によって格段に和らげられる。この様な継ぎ目の段差で生じる衝撃の吸収・緩和により、各車輪１０Ｗがフローリング等の床材の継ぎ目を通り過ぎる際に生じる騒音のレベルが格段に減少されて小さくなる結果、当該騒音が建物の階下又は隣室等の部屋にまで響き渡りにくくなり、清掃者は鳴りにくくなった騒音に気を採られること無く、安心して部屋の掃除をすることが出来る。
【００２９】
更に、各溝７内には、車軸５を介して車輪本体部２が取り付けられているクッション構造部４が、配設されている。このクッション構造部４は、車輪本体部２を上下方向に移動可能とするクッション機能を呈する部分であり、その構成は任意である。例えば、クッション構造部４は、ポリプロピレンの様な樹脂より成る本体部４Ａと、本体部４Ａの底部４ＡＢＳの裏面部を支持する上下に収縮可能な弾性体（例えばバネ構造体）（図示せず。）とより成る。この構成により、クッション構造部４は、車輪本体部２に加わる押圧を受けて車輪本体部２共々上方へ移動し、当該押圧が無くなると、車輪本体部２共々下方へ移動する。この本体部４Ａの両側面部が、既述の車軸５の取付け部分となる。
【００３０】
この様なクッション構造部４が各車輪本体部２に設けられているので、掃除機ヘッド１００を用いた部屋の清掃時に、次の利点が得られる。即ち、図３に例示する様に、ヘッド本体部１０が部屋の床面、畳の面等に接地された際に、床面等から車輪本体部２のスポンジタイヤ１に加わる押圧によって、容易に且つ即座に、各クッション構造部４は、その都度、車輪本体部２及びスポンジタイヤ１を上方向ＡＲ２に移動して持ち上げる。そして、ヘッド本体部１０が床面等から持ち上げられることで、その都度、各クッション構造部４は、車輪本体部２及びスポンジタイヤ１を下方向ＡＲ２に移動させて元の位置での配置状態に復帰させる。この様なクッション構造により、ヘッド本体部１０が部屋の床面等に接地される毎に生じる衝撃が格段に緩和されて当該衝撃による騒音のレベルが格段に小さくなって、当該騒音が建物の階下又は隣室等の部屋にまで響き渡りにくくなり、清掃者は鳴りにくくなった騒音に気を採られること無く、安心して部屋の掃除をすることが出来る。
【００３１】
以上の通り、掃除機ヘッド１００は、生活音の中でも許容されにくい掃除機の衝撃音を和らげて周囲に響き渡りにくくする機能を呈する。特に、掃除機ヘッド１００が集合住宅で使用される場合には、掃除機ヘッド１００は、階下の部屋にまで上記衝撃音による騒音を響き渡りにくくして、清掃者に気を使わず安心して掃除をさせ得る機能を奏する。
【００３２】
（変形例）
実施の形態１では、掃除機ヘッドのヘッド本体部は４個の車輪を有していたが、ヘッド本体部は少なくとも２個の車輪を備えておれば良い。場合によっては、ヘッド本体部が有する車輪の数は１個でも良い。
【００３３】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３４】
本考案は、例えば、掃除機本体に繋げて部屋等の掃除に使用する掃除機ヘッドに適用して好適である。
【符号の説明】
【００３５】
１００  掃除機ヘッド
１０  ヘッド本体部
２０  接続パイプ
１０Ｗ  車輪
１  スポンジタイヤ
２  車輪本体部
３  バンパー
４  クッション構造部
５  車軸
６  吸入口
【図１】
0003200796.tif 000003
【図２】
0003200796.tif 000004
【図３】
0003200796.tif 000005